(57)【要約】【課題】表面実装用コネクタとして、作業性に富むより簡素な構造でありながらプリント基板に対する信頼性の高い表面実装を可能とする。【解決手段】この表面実装用コネクタ１１は、大きくは、ハウジング１２と、同ハウジング１２に固定された複数のターミナル１３と、上記ハウジング１２から同ターミナル１３側に延設されてこれをガイドするターミナルガイド１４とを備えて構成される。ターミナル１３は、上記ハウジング１２から外部に導出されてプリント基板の所定パターンに半田付けされる部分１３ｂまでの腕部１３ａの長さが、該半田付けされる部分１３ｂに加わる応力を緩衝し得る長さに形成されている。また、プリント基板に対するコネクタ１１の未実装時、各ターミナル１３はその腕部１３ａがターミナルガイド１４の断面略Ｖ字形状の溝１４ａに係合されている。【選択図】        図１
2004348979.tif 000002
【特許請求の範囲】
【請求項１】
プリント基板に半田付けされるターミナルと、該ターミナルを支持するハウジングとを有して前記プリント基板に表面実装される表面実装用コネクタであって、
前記ターミナルは、前記ハウジングから外部に導出されて前記プリント基板に半田付けされる部分までの腕部の長さが、該半田付けされる部分に加わる応力を緩衝し得る長さに形成されてなる
ことを特徴とする表面実装用コネクタ。
【請求項２】
前記ターミナルは、前記プリント基板に半田付けされる部分が、当該コネクタの未実装状態において前記ハウジングの実装面からせり出す側に延伸されてなる
請求項１に記載の表面実装用コネクタ。
【請求項３】
請求項１又は請求項２に記載の表面実装用コネクタにおいて、前記ハウジングから前記ターミナルの腕部側に延設されて、当該コネクタの未実装時、該ターミナルの腕部を保護するようにこれをガイドするターミナルガイドをさらに備える
ことを特徴とする表面実装用コネクタ。
【請求項４】
前記ターミナルガイドは、当該コネクタの未実装時、前記ターミナルの腕部の少なくとも一部と係合されて同ターミナルの水平方向への移動を規制する規制手段を備えてなる
請求項３に記載の表面実装用コネクタ。
【請求項５】
前記規制手段は、断面略Ｖ字形状の溝からなり、当該コネクタの未実装時、その底部の狭辺において前記ターミナルの腕部の少なくとも一部と係合される
請求項４に記載の表面実装用コネクタ。
【請求項６】
前記規制手段は、断面略逆三角形状の貫通孔からなり、当該コネクタの未実装時、その底部の狭辺において前記ターミナルの腕部の少なくとも一部と係合される
請求項４に記載の表面実装用コネクタ。
【請求項７】
前記規制手段は、前記ターミナルの前記プリント基板に半田付けされる部分の近傍の腕部に対して選択的に設けられてなる
請求項４〜６のいずれかに記載の表面実装用コネクタ。
【発明の詳細な説明】
【０００１】
【発明の属する技術分野】
本発明は、プリント基板（印刷基板）の表面に実装される表面実装用コネクタに関するものである。
【０００２】
【従来の技術】
従来、この種の表面実装用コネクタとしては、例えば特許文献１に見られるようなコネクタが知られている。図１３及び図１４は、この特許文献１に記載されている表面実装用コネクタの構成を示す斜視図及び一部断面図である。
【０００３】
図１３に示されるように、この表面実装用コネクタ１０１は、プリント基板１０２に表面実装されるハウジング１０３と、同ハウジング１０３に固定された複数のターミナル１０４とを備えて構成される。
【０００４】
また、このコネクタ１０１の断面構造の一部を図１４に示すように、上記ハウジング１０３の内部は、上記ターミナル１０４のコンタクト部１０４ａの収容室１０５となっている。そして、この収容室１０５内で、同コネクタ１０１に嵌合される他方のコネクタ（図示略）に設けられたメス型のコンタクト部と上記コンタクト部１０４ａとの電気的且つ機械的な接続が図られる。また、上記ハウジング１０３には、上記複数のターミナル１０４（図１４では、便宜上、そのうちの一つのみを例示）の各々を各別に取り付けるための取付孔１０６が設けられている。この取付孔１０６は、同図１４に示されるように、上記ターミナル１０４の径に対して余裕をもって形成されており、この余裕代がターミナル１０４に装着された弾性部材１０７によって吸収される構造となっている。そして、この取付孔１０６からハウジング１０３の外部に導出されたターミナル１０４の他端が、プリント基板１０２の表面に印刷されている導体パターン１０８に半田付けによって固定される。
【０００５】
上記表面実装用コネクタにおいてはこのように、ターミナル１０４に弾性部材１０７を装着し、この弾性部材１０７を介してハウジング１０３の取付孔１０６にターミナル１０４を取り付けるようにしている。このため、プリント基板１０２自身に生じる冷熱サイクルによって、上記ターミナル１０４との半田付け部分に強い応力が加わる場合であれ、この応力は、弾性部材１０７の弾性変形を通じて吸収（緩衝）されるようになり、ひいてはその表面実装にかかる信頼性も高められるようになる。
【０００６】
【特許文献１】
特開平８−２１３０８９号公報
【０００７】
【発明が解決しようとする課題】
このように、上記従来の表面実装用コネクタによれば、プリント基板に対する信頼性の高い表面実装を実現することはできる。しかし、この表面実装用コネクタにあっては上述のように、熱応力を緩衝するための弾性部材１０７が必要とされるなど、構造上の複雑化が避けられない。しかも同コネクタにあっては、こうした弾性部材１０７をターミナル１０４の全てに装着した上で、これをハウジング１０３の取付孔１０６に圧入しなければならないなど、作業性の悪化に伴う製造コストの増加も無視できないものとなっている。
【０００８】
本発明は、こうした実情に鑑みてなされたものであり、その目的は、作業性に富むより簡素な構造でありながら、プリント基板に対する信頼性の高い表面実装を可能とする表面実装用コネクタを提供することにある。
【０００９】
【課題を解決するための手段】
こうした目的を達成するため、請求項１に記載の表面実装用コネクタでは、プリント基板に半田付けされるターミナルと、該ターミナルを支持するハウジングとを有して前記プリント基板に表面実装される表面実装用コネクタとして、前記ターミナルの前記ハウジングから外部に導出されて前記プリント基板に半田付けされる部分までの腕部の長さを、該半田付けされる部分に加わる応力を緩衝し得る長さに形成することとした。
【００１０】
このような構成によれば、ターミナルのプリント基板に半田付けされる部分に前述した応力が印加される場合であっても、該ターミナルの上記ハウジングから外部に導出されてこの半田付けされる部分までの腕部の弾性変形を通じてこうした応力が緩衝（吸収）されるようになる。このため、当該コネクタのプリント基板に対する信頼性の高い表面実装が可能となる。
【００１１】
また、このようなコネクタとして、請求項２に記載のように、ターミナルのプリント基板に半田付けされる部分を、当該コネクタの未実装状態においてハウジングの実装面からせり出す側に延伸させて設けるようにすれば、同コネクタのプリント基板への実装時、ターミナルの上記プリント基板に半田付けされる部分は、これも上記腕部の弾性変形により、該プリント基板に対して確実に接触されるようになる。これにより、同部分の半田付けをより的確に行うことができるようになる。
【００１２】
また、これらの構成において、請求項３に記載のように、前記ハウジングから前記ターミナルの腕部側に延設されて、当該コネクタの未実装時、該ターミナルの腕部を保護するようにこれをガイドするターミナルガイドをさらに備えるようにすることで、当該コネクタの搬送時やプリント基板に対する実装作業時におけるターミナルの不要な変形等を防ぐことができるようになる。すなわち、上述のようなターミナル形状を有するコネクタについても、その取り扱いを容易なものとすることができるようになる。
【００１３】
また、この場合には特に、請求項４に記載のように、上記ターミナルガイドに、表面実装用コネクタの未実装時、前記ターミナルの腕部の少なくとも一部と係合して同ターミナルの水平方向への移動を規制する規制手段を備えることがより望ましい。ターミナルガイドとしてのこのような構造によれば、当該コネクタの未実装時におけるターミナルの少なくとも水平方向に対する不要な移動を規制することができ、上述した搬送時やプリント基板に対する実装作業時における同コネクタの取り扱いをさらに容易なものとすることができるようになる。
【００１４】
また上記規制手段としては、例えば請求項５に記載のように、
・断面略Ｖ字形状の溝からなり、当該コネクタの未実装時、その底部の狭辺において前記ターミナルの腕部の少なくとも一部と係合されるもの。
あるいは、請求項６に記載のように、
・断面略逆三角形状の貫通孔からなり、当該コネクタの未実装時、その底部の狭辺において前記ターミナルの腕部の少なくとも一部と係合されるもの。
等々が有効である。
【００１５】
これらいずれの構造であれ、当該コネクタの未実装時には、各々底部の狭辺において上記ターミナルの腕部を確実に支持することができるとともに、同コネクタのプリント基板への実装時には、上記ターミナルの半田付けされる部分の該プリント基板への当接に伴いその腕部が上方に浮くように弾性変形して、上記係合が自動解除されるようになる。このため、上述した取り扱いの容易さに加えて、プリント基板への実装作業そのものを容易且つ信頼性の高いものとすることができるようになる。
【００１６】
また、このような規制手段は、必ずしもターミナルの腕部の全体を支持するように設ける必要はなく、請求項７に記載のように、ターミナルのプリント基板に半田付けされる部分の近傍の腕部に対して選択的に設けることでも足りる。このような構造を採用することで、上記ターミナルガイドとしてのガイド面を節約することができるとともに、同ターミナルガイドそのものの構造を簡素化することができるようにもなる。
【００１７】
【発明の実施の形態】
（第１の実施の形態）
以下、本発明にかかる表面実装用コネクタの第１の実施の形態について、図１〜図６を参照して詳細に説明する。
【００１８】
まず、図１〜図３を参照してこの実施の形態の表面実装用コネクタの未実装時の構造について説明する。なお、これら図１〜図３において、図１は、本実施の形態の表面実装用コネクタ１１の該未実装時の斜視構造を示しており、また図２は、同コネクタ１１の同じく未実装時における正面構造を示している。他方、図３は、同コネクタ１１の図２におけるＡ−Ａ線に沿った断面構造を示している。
【００１９】
この表面実装用コネクタ１１は、図１に示されるように、大きくは、ハウジング１２と、同ハウジング１２に固定された複数のターミナル１３と、上記ハウジング１２から同ターミナル１３側に延設されてこれをガイドするターミナルガイド１４とを備えて構成される。
【００２０】
ここで、上記ターミナル１３は、その上記ハウジング１２から導出される腕部１３ａの長さが、同腕部１３ａの先端に形成されてプリント基板の所定パターン（電極パターン）に半田付けされる部分１３ｂに加わるであろう前記応力を緩衝し得る長さに形成されている。そこでこの実施の形態では、このようなターミナル１３の腕部１３ａを保護すべく、上記ターミナルガイド１４を備える構造となっている。
【００２１】
また、上記ターミナルガイド１４は、図１および図２に示されるように、断面略Ｖ字形状の溝１４ａを上記ターミナル１３の腕部１３ａの各々に対応して備え、その底部の狭辺において同腕部１３ａと係合される構造となっている。ターミナルガイド１４のこのような構造により、当該コネクタの未実装時、上記ターミナル１３の少なくとも水平方向に対する不要な移動が規制され、搬送時やプリント基板に対する実装作業時における同コネクタ１１の取り扱いが容易となる。
【００２２】
また、図１〜図３に示されるように、上記ターミナル１３は、上記半田付けされる部分１３ｂが上記ハウジング１２のプリント基板への実装面（底面）からせり出す側に延伸する態様で設けられている。ターミナル１３のこのような構造により、当該コネクタ１１の実装時には、以下に説明するように、上記半田付けされる部分１３ｂとプリント基板との確実な当接を得ることができるようになる。
【００２３】
なお、上記ハウジング１２の内部は、図３に示されるように、上記ターミナル１３のコンタクト部１３ｃの収容室１５となっている。そして、この収容室１５内で、当該コネクタ１１に嵌合される他方のコネクタ（図示略）に設けられたメス型のコンタクト部と上記コンタクト部１３ｃとの電気的且つ機械的な接続が図られる。
【００２４】
以下、図４〜図６を参照して、この実施の形態の表面実装用コネクタのプリント基板に対する実装態様について説明する。なお、これら図４〜図６において、図４は、本実施の形態の表面実装用コネクタ１１がプリント基板１６に対して実装された状態での斜視構造を示しており、また図５は、同コネクタ１１が同じくプリント基板１６に対して実装された状態での正面構造を示している。他方、図６は、同コネクタ１１の図５におけるＢ−Ｂ線に沿った断面構造を示している。
【００２５】
この実施の形態にあっては上述のように、ターミナル１３は、そのプリント基板１６の電極パターンに半田付けされる部分１３ｂが、当該コネクタ１１の未実装状態においてハウジング１２のプリント基板１６への実装面（底面）からせり出す側に延伸されている。このため、図４および図５（ａ）に示されるように、コネクタ１１の実装時には、同ターミナル１３の半田付けされる部分１３ｂはプリント基板１６（正確にはその電極パターン）に対して確実に当接されるようになる。そして、こうして当接された状態で、プリント基板１６の電極パターンに半田付けによって固定される。
【００２６】
一方、図４および図６（ａ）に示されるように、このコネクタ１１の実装時には、上記ターミナル１３の半田付けされる部分１３ｂが上記プリント基板１６に当接されることに伴い、その腕部１３ａが上方に浮くように弾性変形する。そしてこれにより、上記ターミナルガイド１４の溝１４ａに対する該腕部１３ａの係合も自動解除されるようになる。そのため、当該コネクタ１１の実装後、前述したプリント基板１６の冷熱サイクルによりターミナル１３の半田付けされた部分１３ｂに熱応力が発生するようなことがあったとしても、このターミナル１３の腕部１３ａの自由な弾性変形によって、こうした熱応力も緩衝（吸収）されるようになる。すなわち、同ターミナル１３の半田付けされた部分に半田クラック等が生ずることを抑制することができるようになる。
【００２７】
なお、図５（ｂ）および図６（ｂ）は、上記ターミナル１３について、その半田付けされる部分１３ｂを特に上記ハウジング１２の実装面からせり出す側に延伸させる構造を採用しなかった場合の当該コネクタ１１の上記プリント基板１６への実装例を参考までに示したものである。
【００２８】
これら図５（ｂ）および図６（ｂ）からも明らかなように、このようなターミナル構造をもつコネクタ１１’の場合には、ターミナル１３’の上記半田付けされる部分１３ｂ’が必ずしもプリント基板１６の電極パターンに対して確実に当接されるとは限らない。また、たとえ同部分１３ｂ’の上記プリント基板１６の電極パターンに対する半田付けが可能であったとしても、該ターミナル１３’の腕部１３ａ’の上記ターミナルガイド１４の溝１４ａとの係合状態が自動解除されるとも限らない。そして、このような自動解除がなされなかった場合、プリント基板１６の冷熱サイクルに起因する上述した熱応力による影響が無視できなくなる可能性もある。
【００２９】
以上説明したように、この実施の形態にかかる表面実装用コネクタ１１によれば、以下に列記するような多くの優れた効果が得られるようになる。
（１）上記ターミナル１３の腕部１３ａの長さを、同ターミナル１３の半田付けされる部分１３ｂに加わる応力を緩衝（吸収）し得る長さとした。このため、コネクタ１１の実装後において、プリント基板１６の冷熱サイクルに起因して上記ターミナル１３の半田付けされた部分１３ｂに熱応力が加わったとしても、該ターミナル１３自身の弾性変形を通じてその応力を好適に緩衝することができるようになる。
【００３０】
（２）上記ターミナル１３の半田付けされる部分１３ｂを、コネクタ１１の未実装状態においてそのハウジング１２のプリント基板への実装面（底面）からせり出す側に延伸させて設けた。このため、当該コネクタ１１の実装時には、上記ターミナル１３の腕部１３ａの弾性変形に基づき、上記ターミナル１３の半田付けされる部分１３ｂをプリント基板１６に対して確実に接触させることができるようになる。すなわち、同部分１３ｂの上記プリント基板１６に対する安定した、しかも精度の高い半田付けが可能になる。
【００３１】
（３）上記コネクタ１１の未実装時において上記ターミナル１３の腕部１３ａを保護するようにこれをガイドするターミナルガイド１４を備える構造とした。これにより、当該コネクタ１１の搬送時やプリント基板１６に対する実装作業時におけるターミナル１３の不要な変形等を防ぐことができるようになる。すなわち、上述のようなターミナル形状を有するコネクタ１１についても、その取り扱いを容易なものとすることができるようになる。
【００３２】
（４）また、上記ターミナルガイド１４には、コネクタ１１の未実装時において上記ターミナル１３の腕部１３ａの水平方向への移動を規制する溝１４ａを設ける構造とした。このため、当該コネクタ１１の未実装時におけるターミナル１３の少なくとも水平方向に対する不要な移動を規制することができ、上述した搬送時やプリント基板１６に対する実装作業時における同コネクタ１１の取り扱いをさらに容易なものとすることができるようになる。
【００３３】
（５）しかも、上記ターミナルガイド１４の溝１４ａについてはこれを、断面略Ｖ字形状に形成して、当該コネクタ１１の未実装時には、その底部の狭辺において上記ターミナル１３の腕部１３ａと係合される構造とした。このため、同コネクタ１１のプリント基板１６への実装時には、上記ターミナル１３の半田付けされる部分１３ｂの該プリント基板１６への当接に伴いその腕部１３ａが上方に浮くように弾性変形して、上記係合が自動解除されるようになる。すなわち、上述した取り扱いの容易さに加えて、プリント基板１６に対するコネクタ１１の実装作業そのものを容易且つ信頼性の高いものとすることができるようになる。また、こうして上記係合が自動解除されることで、ターミナル１３の腕部１３ａにおいては、その自由な弾性変形が確保されることともなる。これにより、プリント基板１６の冷熱サイクルに起因してターミナル１３の半田付けされた部分１３ｂに熱応力が作用するような場合でも、該応力を緩衝（吸収）して、半田クラック等の発生を未然に防ぐことができるようにもなる。
【００３４】
（６）一方、上記ハウジング１２およびターミナルガイド１４についてはこれを、例えばターミナル１３を適宜の治具等に配置した状態での射出成形等による一体形成も可能である。このため、前記従来のコネクタ１０１と比較してその製造コストの大幅な低減を図ることも可能となる。
【００３５】
（第２の実施の形態）
次に、この発明にかかる表面実装用コネクタの第２の実施の形態について、図７を参照しつつ説明する。
【００３６】
この実施形態のコネクタ２１も、同図７にその斜視構造を示すように、大きくは、ハウジング２２と、同ハウジング２２に固定された複数のターミナル２３と、上記ハウジング２２から同ターミナル２３側に延設されてこれをガイドするターミナルガイド２４とを備えて構成される。
【００３７】
そして、この実施の形態においても、上記ターミナル２３の腕部２３ａは、先の第１の実施形態と同様、その先端に形成されてプリント基板の所定パターン（電極パターン）に半田付けされる部分２３ｂに加わる応力を緩衝し得る長さに形成されている。
【００３８】
また、上記ターミナルガイド２４は、これも基本的には先の第１の実施形態と同様、断面略Ｖ字形状の溝２４ａを上記ターミナル２３の腕部２３ａの各々に対応して備え、その底部の狭辺においてそれらターミナル２３の腕部２３ａと係合される構造となっている。ただし、この実施の形態において、上記ターミナルガイド２４は、同図７に示されるごとく、ターミナル２３の上記半田付けされる部分２３ｂの近傍に選択的に同ターミナル２３と係合される係合部２４ｂを備えており、この係合部２４ｂに対して上記溝２４ａが形成されている。ターミナルガイド２４のこのような構造によっても、当該コネクタ２１の未実装時には、上記ターミナル２３の少なくとも水平方向に対する不要な移動が規制され、搬送時やプリント基板に対する実装作業時における同コネクタ２１の取り扱いが容易となる。
【００３９】
また、この実施形態のコネクタ２１にあっても、上記ターミナル２３の半田付けされる部分２３ｂは、上記ハウジング２２のプリント基板への実装面（底面）からせり出す側に延伸されるようにして設けられている。
【００４０】
従って、ターミナルガイドの構造が一部異なるとはいえ、この第２の実施の形態によっても、先の第１の実施形態の前記（１）〜（６）の効果と同様の効果を得ることができるようになる。
【００４１】
また、上記ターミナルガイドに上述のような構造を採用することで、ターミナルガイドとしてのガイド面を節約することができるとともに、同ターミナルガイドそのものの構造を簡素化することができるようにもなる。
【００４２】
（第３の実施の形態）
次に、この発明にかかる表面実装用コネクタの第３の実施の形態について、図８を参照しつつ説明する。
【００４３】
この実施形態のコネクタ３１も、同図８にその斜視構造を示すように、大きくは、ハウジング３２と、同ハウジング３２に固定された複数のターミナル３３と、上記ハウジング３２から同ターミナル３３側に延設されてこれをガイドするターミナルガイド３４とを備えて構成される。
【００４４】
そして、この実施の形態においても、上記ターミナル３３の腕部３３ａは、先の第１および第２の実施形態と同様、その先端に形成されてプリント基板の所定パターン（電極パターン）に半田付けされる部分３３ｂに加わる応力を緩衝し得る長さに形成されている。
【００４５】
一方、この実施の形態において、上記ターミナルガイド３４は、断面略逆三角形状の貫通孔３４ａを上記ターミナル３３の腕部３３ａの各々に対応して備え、その底部の狭辺において同腕部３３ａと係合される構造となっている。そして、このターミナルガイド３４も、図８に示されるごとく、ターミナル３３の上記半田付けされる部分３３ｂの近傍に選択的にターミナル３３と係合される係合部３４ｂを備えており、この係合部３４ｂに対して上記貫通孔３４ａが形成されている。ターミナルガイド３４のこのような構造によっても、当該コネクタ３１の未実装時には、上記ターミナル３３の少なくとも水平方向に対する不要な移動が規制され、搬送時やプリント基板に対する実装作業時における同コネクタ３１の取り扱いが容易となる。
【００４６】
さらに、この実施の形態のコネクタ３１にあっても、上記ターミナル３３の半田付けされる部分３３ｂは、上記ハウジング３２のプリント基板への実装面（底面）からせり出す側に延伸されるようにして設けられている。
【００４７】
従ってこの場合も、ターミナルガイドの構造が一部異なるとはいえ、先の第１の実施形態の前記（１）〜（６）の効果と同様の効果を得ることができるようになる。
【００４８】
また、この場合も先の第２の実施の形態に準じて、上記ターミナルガイドに上述のような構造を採用することで、ターミナルガイドとしてのガイド面を節約することができるとともに、同ターミナルガイドそのものの構造を簡素化することができるようになる。
【００４９】
（第４の実施の形態）
次に、この発明にかかる表面実装用コネクタの第４の実施の形態について、図９〜図１１を参照しつつ説明する。なお、これら図９〜図１１において、図９は、本実施の形態の表面実装用コネクタ４１のプリント基板４６に対する実装時の斜視構造を示しており、また図１０は、同コネクタ４１の同じく実装時における正面構造を示している。他方、図１１は、同コネクタ４１の図１０におけるＤ−Ｄ線に沿った断面構造を示している。なお、同図１１において、図中の２点鎖線は、コネクタ４１の上記プリント基板４６に対する未実装時のターミナル４３の形状を示している。
【００５０】
この実施の形態のコネクタ４１は、これら図９〜図１１に示されるように、他方のコネクタ（図示略）との結合部がプリント基板４６に対して垂直方向に設けられるタイプの表面実装用コネクタである。ただし、基本的な構造は、これも先の第１の実施の形態とほぼ同様、大きくは、ハウジング４２と、同ハウジング４２に固定された複数のターミナル４３と、上記ハウジング４２から同ターミナル４３側に延設されてこれをガイドするターミナルガイド４４とを備える構造となっている。ただし、この実施の形態のコネクタ４１の場合、上記ターミナルガイド４４がハウジング４２の一部を兼ねており、該ターミナルガイド４４の上記プリント基板４６に対する実装面がハウジング４２の実装面となる。
【００５１】
その他、この実施の形態のコネクタ４１にあっても、
（ａ）上記ターミナル４３は、その上記ハウジング４２から導出される腕部４３ａの長さが十分な長さをもって形成されていること。すなわち、同腕部４３ａの先端に形成されてプリント基板の所定パターン（電極パターン）に半田付けされる部分４３ｂに加わるであろう前記応力を緩衝（吸収）し得る長さに形成されていること。
（ｂ）上記ターミナルガイド４４は、断面略Ｖ字形状の溝４４ａを上記ターミナル４３の腕部４３ａの各々に対応して備え、プリント基板４６への未実装時には、それら溝４４ａの底部の狭辺において同腕部４３ａと係合される構造となっていること。
（ｃ）上記ターミナル４３は、上記半田付けされる部分４３ｂが上記ハウジング４２（正確にはターミナルガイド４４）のプリント基板４６への実装面（底面）からせり出す側に延伸されるようにして設けられていること。
（ｄ）当該コネクタ４１の上記プリント基板４６への実装時、あるいは実装後は、上記ターミナル４３の半田付けされる部分４３ｂが上記プリント基板４６に当接されることに伴い、その腕部４３ａが上方に浮くように弾性変形すること。すなわちこれによって、上記ターミナルガイド４４の溝４４ａに対する該腕部４３ａの係合も自動解除されること。
等々は、先の第１の実施の形態と同様である。
【００５２】
従って、この第４の実施の形態によっても、先の第１の実施形態の前記（１）〜（６）の効果と同様の効果を得ることができるようになる。
（他の実施の形態）
なお、上記各実施の形態は、以下のように変更して実施することもできる。
【００５３】
・上記ターミナルガイドの溝（１４ａ、２４ａ、４４ａ）や貫通孔（３４ａ）、すなわちコネクタ未実装時にターミナル（腕部）の少なくとも水平方向への移動を規制する規制手段の形状は、先の各実施の形態において例示した形状に限られることなく任意である。通常は、図１２（ａ）に例示する断面略Ｖ字形状Ｇ１のほか、図１２（ｂ）に例示する断面略Ｖ字形状の底部に底辺を持たせた形状Ｇ２や、図１２（ｃ）に例示する断面略Ｖ字形状の底部に丸みを持たせた形状Ｇ３等々を採用することができる。また、上記貫通孔の形状としても、図１２（ｄ）に例示する断面略逆三角形状Ｇ４のほか、その断面略逆三角形状の底部に底辺や丸みを持たせたもの等々を適宜採用することができる。この規制手段として要は、コネクタ未実装時にターミナルの少なくとも水平方向への移動を規制することができるものであればよく、それら溝や貫通孔の形状も、これら断面略Ｖ字形状や断面略逆三角形状には限られない。また、上記規制手段についてこれを、上記ターミナルの腕部の全体に対して設けるか、あるいはその一部に対して選択的に設けるか等についても任意である。これも要は、コネクタの未実装状態において上記ターミナルの少なくとも水平方向への移動を規制可能なものであればよく、その構造は限定されない。この意味では、上記規制手段が必ずしも上記溝や貫通孔である必要もない。
【００５４】
・上記ターミナルガイド（１４、２４、３４、４４）の配設は、上記ターミナルの腕部を保護する上で極めて有用であるが、コネクタ実装後に該ターミナルの半田付けされた部分に加わる応力を緩衝（吸収）する意味においては、同ターミナルの腕部の長さを、該応力の緩衝可能な長さに設定することで足りる。なおこの場合には、上記ターミナルの弾性変形を通じてその半田付けされる部分をプリント基板に強制当接させることも可能ではある。しかし、複数のターミナルの半田付けされる部分をプリント基板に対して容易かつ均一に当接させる上では、同ターミナルの半田付けされる部分が、コネクタの未実装状態において、そのハウジングの実装面からせり出す側に延伸されていることがより望ましい。
【図面の簡単な説明】
【図１】この発明にかかる表面実装用コネクタの第１の実施形態についてプリント基板への未実装時の斜視構造を示す斜視図。
【図２】同第１の実施形態の表面実装用コネクタについて同じく未実装時の正面構造を示す正面図。
【図３】図２におけるＡ−Ａ線に沿った断面構造を示す断面図。
【図４】同第１の実施形態の表面実装用コネクタについてプリント基板への実装時（後）の斜視構造を示す斜視図。
【図５】（ａ）は同第１の実施形態の表面実装用コネクタについて同じく実装時（後）の正面構造を示す正面図。（ｂ）は比較対照とする表面実装用コネクタの正面構造を示す正面図。
【図６】（ａ）は図５（ａ）におけるＢ−Ｂ線に沿った断面構造を示す断面図。（ｂ）は図５（ｂ）におけるＣ−Ｃ線に沿った断面構造を示す断面図。
【図７】この発明にかかる表面実装用コネクタの第２の実施形態についてプリント基板への未実装時の斜視構造を示す斜視図。
【図８】この発明にかかる表面実装用コネクタの第３の実施形態についてプリント基板への未実装時の斜視構造を示す斜視図。
【図９】この発明にかかる表面実装用コネクタの第４の実施形態についてプリント基板への実装時（後）の斜視構造を示す斜視図。
【図１０】同第４の実施形態の表面実装用コネクタについて同じく実装時（後）の正面構造を示す正面図。
【図１１】図１０におけるＤ−Ｄ線に沿った断面構造を示す断面図。
【図１２】（ａ）、（ｂ）、（ｃ）、（ｄ）は、ターミナルガイドに設置される規制手段のアレンジ例を示す正面図。
【図１３】従来の表面実装用コネクタの斜視構造を示す斜視図。
【図１４】同従来の表面実装用コネクタについて特にハウジングに対するターミナルの取付構造を示す一部断面図。
【符号の説明】
１１、２１、３１、４１…表面実装用コネクタ、１２、２２、３２、４２…ハウジング、１３、２３、３３、４３…ターミナル、１３ａ、２３ａ、３３ａ、４３ａ…腕部、１３ｂ、２３ｂ、３３ｂ、４３ｂ…半田付けされる部分、１３ｃ、４３ｃ…コンタクト部、１４、２４、３４、４４…ターミナルガイド、１４ａ、２４ａ、３４ａ…溝（規制手段）、１５、４５、１０５…収容室、１６、４６…プリント基板、２４ｂ、３４ｂ…係合部、３４ａ…貫通孔（規制手段）。
【図１】
2004348979.tif 000003
【図２】
2004348979.tif 000004
【図３】
2004348979.tif 000005
【図４】
2004348979.tif 000006
【図５】
2004348979.tif 000007
【図６】
2004348979.tif 000008
【図７】
2004348979.tif 000009
【図８】
2004348979.tif 000010
【図９】
2004348979.tif 000011
【図１０】
2004348979.tif 000012
【図１１】
2004348979.tif 000013
【図１２】
2004348979.tif 000014
【図１３】
2004348979.tif 000015
【図１４】
2004348979.tif 000016